【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
式（Ｉ）による構造を有する化合物であって、
Ｑ−（Ｒ１Ｚ１）ｍ−ＲＺ（Ｉ）
式中、Ｑは単一のフリーラジカル重合性官能基を含む部分であり、Ｒはウレタン／ウレイド含有構造単位であり、Ｚは少なくとも１つの環状構造要素を含む一価部分であり、各Ｒ１は、存在する場合は独立して、Ｒと同一であるか又は異なるウレタン／ウレイド含有構造単位であるように選択され、各Ｚ１は、存在する場合は独立して、少なくとも１つの環状構造要素を含む二価部分であるように選択され、ｍは０又は１以上の整数である、
化合物。
【請求項２】
Ｑ中の前記単一のフリーラジカル重合性官能基が、モノエチレン性不飽和官能基である、請求項１に記載の化合物。
【請求項３】
Ｑ中の前記単一のフリーラジカル重合性官能基が、アリル基及び（メタ）アクリレート基からなる群から選択される、請求項１又は２に記載の化合物。
【請求項４】
Ｑが、構造Ｈ２Ｃ＝Ｃ（Ｒ２）Ｃ（＝Ｏ）−Ｏ−Ｒ３−（ただし、Ｒ２＝Ｈ、ＣＨ３又はＣＨ２ＣＨ３、Ｒ３＝Ｃ２−Ｃ６の直鎖状若しくは分枝状アルキレン基、オリゴエーテル部分又はオリゴエステル部分）を有する基である、請求項１〜３のいずれか一項に記載の化合物。
【請求項５】
Ｑが構造Ｈ２Ｃ＝ＣＨ−Ｃ（＝Ｏ）ＯＣＨ２ＣＨ２−を有する、請求項１〜３のいずれか一項に記載の化合物。
【請求項６】
ｍが０又は１〜１０の整数である、請求項１に記載の化合物。
【請求項７】
Ｚが、芳香族基及び脂環式基からなる群から選択される少なくとも１つの環状構造要素を含む一価部分である、請求項１〜６のいずれか一項に記載の化合物。
【請求項８】
Ｚが、単環式、二環式、三環式、四環式、五環式及び六環式炭化水素基からなる群から選択される少なくとも１つの脂環式構造要素を含む一価部分である、請求項１〜７のいずれか一項に記載の化合物。
【請求項９】
Ｚが、トリシクロデカン基を含む一価部分である、請求項１〜８のいずれか一項に記載の化合物。
【請求項１０】
ｍが１又は１より大きい整数であり、各Ｚ１が独立して、芳香族基及び脂環式基からなる群から選択される少なくとも１つの環状構造要素を含む二価部分である、請求項１〜９のいずれか一項に記載の化合物。
【請求項１１】
ｍが１以上の整数であり、各Ｚ１が独立して、単環式、二環式、三環式、四環式、五環式及び六環式炭化水素基からなる群から選択される少なくとも１つの脂環式構造要素を含む二価部分である、請求項１〜１０のいずれか一項に記載の化合物。
【請求項１２】
ｍが１以上の整数であり、各Ｚ１が独立して、トリシクロデカン基を含む二価部分である、請求項１〜１１のいずれか一項に記載の化合物。
【請求項１３】
各Ｒ及びＲ１が、存在する場合は独立して、構造−Ｏ−Ｃ（＝Ｏ）ＮＨ−Ｒ３−ＮＨ−Ｃ（＝Ｏ）−Ｏ−を有し、Ｒ３が、二価炭化水素基であり、特にアルキレン基、脂肪族環含有基及び芳香族環含有基からなる群から選択される、請求項１〜１２のいずれか一項に記載の化合物。
【請求項１４】
請求項１〜１３のいずれか一項に記載の少なくとも１種の化合物と、少なくとも１種の追加のエチレン性不飽和モノマー又はオリゴマーとで構成される硬化性組成物。
【請求項１５】
前記少なくとも１種の追加のエチレン性不飽和モノマー又はオリゴマーが、（メタ）アクリレートからなる群から選択される、少なくとも１種の化合物を含む、請求項１４に記載の硬化性組成物。
【請求項１６】
開始剤、安定剤及び充填剤からなる群から選択される少なくとも１種の添加剤をさらに含む、請求項１４又は１５に記載の硬化性組成物。
【請求項１７】
請求項１４〜１６のいずれか一項に記載の硬化性組成物の（から生じる）反応生成物である硬化組成物。
【請求項１８】
請求項１７に記載の硬化組成物を含む物品。
【請求項１９】
３次元物品、コーティング物品、積層物品又は印刷物品である、請求項１８に記載の物品。
【請求項２０】
請求項１〜１３のいずれか一項に記載の化合物の製造方法であって、
ａ）単一のフリーラジカル重合性官能基を含むモノ−ヒドロキシル又はモノ−アミノ官能性化合物とジイソシアネートとを、前記単一のフリーラジカル重合性官能基を含むモノ−ヒドロキシル又はモノ−アミノ官能性化合物と前記ジイソシアネートとの１：１付加物であり、単一のフリーラジカル重合性官能基、単一のイソシアネート基及びウレタン又はウレイド結合を含む中間生成物を得るために有効な化学量論で反応させる工程と、
ｂ）前記中間生成物と、少なくとも１つの環状構造要素を含むモノ−ヒドロキシル又はモノ−アミノ官能性化合物とを反応させる工程と
を含む、方法。
【請求項２１】
請求項１〜１３のいずれか一項に記載の化合物の製造方法であって、
ａ）ｉ）単一のフリーラジカル重合性官能基を含むモノ−ヒドロキシル又はモノ−アミノ官能性化合物、ｉｉ）ジイソシアネート、及びｉｉｉ）少なくとも１つの環状構造要素を含むジ−ヒドロキシル、ジ−アミノ又はモノ−ヒドロキシ及びモノ−アミノ官能性化合物を、前記単一のフリーラジカル重合性官能基を含むモノ−ヒドロキシル又はモノ−アミノ官能性化合物、前記ジイソシアネート及び前記少なくとも１つの環状構造要素を含むジ−ヒドロキシル、ジ−アミノ又はモノ−ヒドロキシ及びモノ−アミノ官能性化合物の１：Ｘ：Ｙ付加物であり、単一のフリーラジカル重合性官能基、単一のイソシアネート基及び２以上のウレタン又はウレイド結合を含む中間生成物（ただし、Ｘは１以上の整数であり、単一のフリーラジカル重合性官能基を含むモノ−ヒドロキシル又はモノ−アミノ官能性化合物１モル当たりの、前記付加物中に組み込まれる少なくとも１つの環状構造要素を含むジ−ヒドロキシル、ジ−アミノ又はモノ−ヒドロキシ及びモノ−アミノ官能性化合物のモル数を表し、Ｙ＝Ｘ＋１であり、単一のフリーラジカル重合性官能基を含むモノ−ヒドロキシル及びモノ−アミノ官能性化合物１モル当たりの、前記付加物中に組み込まれるジイソシアネートのモル数を表す）を得るために有効な化学量論で反応させる工程と、
ｂ）前記中間生成物と、少なくとも１つの環状構造要素を含むモノ−ヒドロキシル又はモノ−アミノ官能性化合物とを反応させる工程と
を含む、方法。
【請求項２２】
請求項１〜１３のいずれか一項に記載の化合物の製造方法であって、
ａ）少なくとも１つの環状構造要素を含むモノ−ヒドロキシル又はモノ−アミノ官能性化合物と、ジイソシアネートとを、前記少なくとも１つの環状構造要素を含むモノ−ヒドロキシル又はモノ−アミノ官能性化合物と、前記ジイソシアネートとの１：１付加物であり、少なくとも１つの環状構造要素、単一のイソシアネート基及びウレタン又はウレイド結合を含む中間生成物を得るのに有効な化学量論で反応させる工程と、
ｂ）前記中間生成物と、単一のフリーラジカル重合性官能基を含むモノ−ヒドロキシル又はモノ−アミノ官能性化合物とを反応させる工程と
を含む、方法。
【請求項２３】
請求項１〜１３のいずれか一項に記載の化合物の製造方法であって、
ａ）ｉ）少なくとも１つの環状構造要素を含むモノ−ヒドロキシル又はモノ−アミノ官能性化合物、ｉｉ）ジイソシアネート及びｉｉｉ）少なくとも１つの環状構造要素を含むジ−ヒドロキシル、ジ−アミノ又はモノ−ヒドロキシ及びモノ−アミノ官能性化合物を、前記少なくとも１つの環状構造要素を含むモノ−ヒドロキシル又はモノ−アミノ官能性化合物、前記ジイソシアネート及び前記少なくとも１つの環状構造要素を含むジ−ヒドロキシル、ジ−アミノ又はモノ−ヒドロキシ及びモノ−アミノ官能性化合物の１：Ｘ：Ｙ付加物であり、少なくとも２つの環状構造要素、単一のイソシアネート基及び２以上のウレタン又はウレイド結合を含む中間生成物（ただし、Ｘは、１以上の整数であり、少なくとも１つの環状構造要素を含むモノ−ヒドロキシル又はモノ−アミノ官能性化合物１モル当たりの、前記付加物中に組み込まれる少なくとも１つの環状構造要素を含むジ−ヒドロキシル、ジ−アミノ又はモノ−ヒドロキシ及びモノ−アミノ官能性化合物のモル数を表し、Ｙ＝Ｘ＋１であり、少なくとも１つの環状構造要素を含むモノ−ヒドロキシル及びモノ−アミノ官能性化合物１モル当たりの、前記付加物中に組み込まれるジイソシアネートのモル数を表す）を得るために有効な化学量論で反応させる工程と、
ｂ）前記中間生成物と、単一のフリーラジカル重合性官能基を含むモノ−ヒドロキシル又はモノ−アミノ官能性化合物とを反応させる工程と
を含む、方法。
【請求項２４】
請求項１４〜１６のいずれか一項に記載の硬化性組成物を硬化させる工程を含む、請求項１７に記載の硬化組成物の製造方法。
【請求項２５】
請求項１〜１３のいずれか一項に記載の化合物を使用して３次元物品を製造する方法であって、
ａ）請求項１〜１３のいずれか一項に記載の少なくとも１種の化合物を含む組成物の第１層を表面上にコーティングする工程と、
ｂ）前記第１層を硬化させて硬化第１層を与える工程と、
ｃ）組成物の第２層を前記硬化第１層の上にコーティングする工程と、
ｄ）前記第２層を硬化させて、前記硬化第１層に付着した硬化第２層を与える工程と、
ｅ）前記３次元物品を構築するために、工程ｃ）及びｄ）を所望の回数繰り返す工程と
を含む、方法。
【請求項２６】
前記硬化工程が、前記組成物の層を放射線、好ましくはＵＶ又はＥＢ放射線に露光することによって行われる、請求項２５に記載の方法。
【請求項２７】
コーティング、接着剤、シーラント、インク、３Ｄ印刷用樹脂又は成形用樹脂中の硬化性組成物における請求項１〜１３のいずれか一項に記載の化合物の使用。